(57)【要約】【課題】弁部材が着座する部材が弁ケーシングから外れることを防止できるフロート式ドレントラップを提供する。【解決手段】本体１と蓋２で弁ケーシングを形成する。弁ケーシングに入口５と弁室４と出口７を形成する。弁室４の下部に弁座部材９を蓋２に溶接して取り付ける。弁座部材９に弁室４を出口７側に連通する排出通路８を形成する。弁室４内に弁座部材９に離着座して排出通路８を開閉するフロート１１を配置する。蓋２に弁座部材９と同一軸上にプラグ１３を蓋２に溶接して取り付ける。プラグ１３に弁座部材９の排出通路８を出口７側に連通する連通通路１３ａを形成する。プラグ１３を貫通して先端側を排出通路８内に配置した操作部材１４をプラグ１３にねじ結合して取り付けて外部からねじ進退操作可能に設ける。操作部材１４に操作部材１４を最前進させたときにプラグ１３の先端部１３ｂに着座して排出通路８を閉じる弁部材１７を設ける。【選択図】図１
2014029185.tif 000002
【特許請求の範囲】
【請求項１】
弁ケーシングで入口と弁室と出口を形成し、弁室の下部に弁座部材を取り付け、弁座部材に弁室を出口側に連通する排出通路を形成し、弁室内に弁座部材に離着座して排出通路を開閉するフロートを配置し、弁ケーシングに弁座部材と同一軸上にプラグを弁ケーシングに溶接して取り付け、プラグに弁座部材の排出通路を出口側に連通する連通通路を形成し、プラグを貫通して先端側を排出通路内に配置した操作部材をプラグにねじ結合して取り付けて外部からねじ進退操作可能に設け、操作部材に操作部材を最前進させたときにプラグに着座して排出通路を閉じる弁部材を設けたことを特徴とするフロート式ドレントラップ。
【発明の詳細な説明】
【技術分野】
【０００１】
本発明は、蒸気や圧縮空気やガス配管系に発生するドレンをフロートの浮上降下によって自動的に排出するフロート式ドレントラップに関し、特にフロートが離着座する弁座部材に付着した流体中の異物を掃除できるものに関する。
【背景技術】
【０００２】
従来のフロート式ドレントラップは、例えば特許文献１に開示されている。これは、弁ケーシングで入口と弁室と出口を形成し、弁室の下部に弁座部材を弁ケーシングにねじ結合して取り付け、弁座部材に弁室を出口側に連通する排出通路を形成し、弁室内に弁座部材に離着座して排出通路を開閉するフロートを配置し、弁ケーシングに弁座部材と同一軸上にプラグを弁ケーシングにねじ結合して取り付け、プラグを貫通して先端側を排出通路内に配置した操作部材をプラグにねじ結合して取り付けて外部からねじ進退操作可能に設け、操作部材の中間部に操作部材を最前進させたときに弁座部材に着座して排出通路を閉じる弁部材を設けたものである。
【先行技術文献】
【特許文献】
【０００３】
【特許文献１】特開２００７−１０７６４３号公報
【発明の概要】
【発明が解決しようとする課題】
【０００４】
上記従来のフロート式ドレントラップは、操作部材を最前進させたときに操作部材の弁部材が弁座部材に着座することにより、弁座部材の排出通路の内面及び弁座部材の弁室側端面に付着した異物を掃除できるものであるが、弁部材の弁座部材への着座の繰り返しにより弁座部材の弁ケーシングとのねじ結合が緩み弁座部材が弁ケーシングから外れるという問題点があった。
【０００５】
したがって本発明が解決しようとする課題は、弁部材が着座する部材が弁ケーシングから外れることを防止できるフロート式ドレントラップを提供することである。
【課題を解決するための手段】
【０００６】
上記の課題を解決するために、本発明のフロート式ドレントラップは、弁ケーシングで入口と弁室と出口を形成し、弁室の下部に弁座部材を取り付け、弁座部材に弁室を出口側に連通する排出通路を形成し、弁室内に弁座部材に離着座して排出通路を開閉するフロートを配置し、弁ケーシングに弁座部材と同一軸上にプラグを弁ケーシングに溶接して取り付け、プラグに弁座部材の排出通路を出口側に連通する連通通路を形成し、プラグを貫通して先端側を排出通路内に配置した操作部材をプラグにねじ結合して取り付けて外部からねじ進退操作可能に設け、操作部材に操作部材を最前進させたときにプラグに着座して排出通路を閉じる弁部材を設けたことを特徴とするものである。
【発明の効果】
【０００７】
本発明によれば、弁部材が着座する部材であるプラグを弁ケーシングに溶接したものであるので、弁部材がプラグに繰り返し着座してもプラグが弁ケーシングから外れることを防止できるという優れた効果を生じる。
【図面の簡単な説明】
【０００８】
【図１】本発明の実施の形態に係わるフロート式ドレントラップの断面図である。
【発明を実施するための形態】
【０００９】
以下、本発明の実施の形態について、図１を参照して説明する。本体１に蓋２をボルト３で締結して弁ケーシング形成し、内部に弁室４を形成する。本体１は入口５と出口通路６と出口７を有し、入口５は弁室４の上部に連通する。入口５と出口７は同一軸上に形成する。弁室４の下部の蓋２に排出通路８を開けた弁座部材９を溶接して取り付ける。排出通路８は弁室４側端の小径の先端部８ａと、先端部８ａの下流の下流に向かって径の拡がったテーパー部８ｂと、テーパー部８ｂの下流の大径の後端部８ｃから成る。蓋２は出口通路１０を有し、弁室４の下部は排出通路８から下記のプラグ１３の連通通路１３ａ、出口通路１０，６を介して出口７に連通する。弁室４内に弁座部材９の弁室側端面９ａに離着座して排出通路８を開閉する中空球形のフロート１１を自由状態で配置する。フロート１１が排出通路８を閉じた位置で当接するフロート座１２をフロート１１の下方に、図面の手前側と向う側に２つ設ける。
【００１０】
蓋２に弁座部材９と同一軸上にプラグ１３を溶接して取り付ける。プラグ１３に弁座部材９の排出通路８を出口７側に連通する連通通路１３ａを形成する。プラグ１３に外部から進退調節可能に操作部材１４をねじ結合する。操作部材１４はプラグ１３を貫通し、排出通路８の先端部８ａの下流に位置する先端部１４ａが前進により弁室４内に突出し、後端部が外部に位置する。プラグ１３と操作部材１４の間にパッキング１５を配置し、プラグ１３にパッキング押え１６をねじ結合してプラグ１３と操作部材１４の間の気密を保つ。操作部材１４の先端部１４ａの外径は排出通路８の先端部８ａの内径よりも僅かに小径に形成し、操作部材１４を前進させたときに操作部材１４の先端部１４ａで排出通路８の先端部８ａ内面を掃除する。操作部材１４の中間部に円錐状の弁部材１７を一体に形成する。操作部材１４の弁部材１７はプラグ１３の先端部１３ｂに離着座し、排出通路８を最前進したときに閉じ後退したときに開ける。
【００１１】
入口５から流入したドレンは弁室４内に溜り、液面に応じてフロート１１が浮上降下して弁座部材９に離着座して排出通路８を開閉する。排出通路８が開けられると弁室４内のドレンが排出通路８、連通通路１３ａ、出口通路６，１０を通して出口７に排出され、排出通路８が閉じられると弁室４内の気体の漏出が防止される。
【００１２】
弁座部材９の排出通路８の先端部８ａ内面及び弁室側端面９ａに付着した異物を掃除する場合、操作部材１４をねじ込んで操作部材１４の弁部材１７がプラグ１３の先端部１３ａに着座して排出通路８を閉じる位置まで前進させる。これにより、操作部材１４の先端部１４ａで弁座部材９の排出通路８の先端部８ａ内面を掃除する。そして、弁室４内の液面を上昇させた後操作部材１４を後退させて排出通路８を開け、操作部材１４の先端部１４ａを排出通路８の先端部８ａの下流に位置させることにより、弁室４内のドレンが弁座部材９の弁室側端面９ａに付着した異物を掃除しながら一気に出口７に排出される。
【産業上の利用可能性】
【００１３】
本発明は、蒸気や圧縮空気やガス配管系に発生するドレンを自動的に排出するフロート式ドレントラップに利用することができる。
【符号の説明】
【００１４】
１  本体
２  蓋
４  弁室
５  入口
６，１０  出口通路
７  出口
８  排出通路
８ａ  排出通路の先端部
９  弁座部材
９ａ  弁座部材の弁室側端面
１１  フロート
１３  プラグ
１３ａ  連通通路
１３ｂ  プラグの先端部
１４  操作部材
１４ａ  操作部材の先端部
１７  弁部材
【図１】
2014029185.tif 000003